(57)【特許請求の範囲】
【請求項１】
Ｘ線照射手段と、Ｘ線検出手段と、前記Ｘ線照射手段と前記Ｘ線検出手段とを空間を隔てて互いに対向させて搭載した回転枠と、非回転側に配置され前記Ｘ線検出手段の検出信号に基づいて画像再構成を行う画像再構成手段とを有するＸ線ＣＴ装置において、
前記回転枠の回転の軌道と同心の円に沿って前記非回転側に設けられ、両端がそれぞれ実質的に抵抗で終端された導体と、
前記回転枠側に設けられ、前記導体の一部への非接触な静電結合器による高周波結合により前記Ｘ線検出器の検出信号に基づく信号を前記導体に供給する信号供給手段と、
前記非回転側に設けられ、前記導体に供給された信号を受信してそれに基づく出力信号を前記画像再構成手段に供給する受信手段とを具備することを特徴とするＸ線ＣＴ装置。
【請求項２】
請求項１に記載のＸ線ＣＴ装置において、
前記導体は、同心の円に沿った平行な２本の導体を有しており、前記２本の導体が設置された面上で前記２本の導体のそれぞれの一端同士が抵抗で終端され、前記２本の導体のそれぞれの他端同士が前記画像再構成手段側で実質的に抵抗で終端されており、
前記信号供給手段は、前記同心の円に沿った２本の導体に近傍にそれぞれ配置された一対の電極板であり、
前記２本の導体の円形状上の両端の隙間は、前記２本の導体の近傍を前記隙間を含んで円状に移動する前記一対の電極板の長さよりも短いことを特徴とするＸ線ＣＴ装置。
【請求項３】
請求項２に記載のＸ線ＣＴ装置において、前記２本の導体の間に共振防止用の複数の抵抗を設置したことを特徴とするＸ線ＣＴ装置。
【発明の詳細な説明】
【０００１】
【発明の属する技術分野】
本発明は、信号伝達方法および装置並びにＸ線ＣＴ装置に関し、特に、相対的に運動する２つの系の間で信号を伝達する方法および装置の改良並びにそのような信号伝達装置を利用したＸ線ＣＴ装置に関する。
【０００２】
【従来の技術】
いわゆる第３世代のＸ線ＣＴ装置においては、Ｘ線照射器とＸ線検出器を回転枠上に互いに対向させて搭載し、これらＸ線照射器とＸ線検出器の対向空間に被検体を挿入し、扇状のＸ線ビームを照射しながら回転枠を回転（スキャン(scan)）させて被検体を透過したＸ線を被検体の周囲の複数の方向（ビュー(view)）において測定するようになっている。
【０００３】
透過Ｘ線は多数のＸ線検出素子を扇状Ｘ線ビームの広がりの方向に配列した多チャンネルのＸ線検出器によって測定される。それら測定データは画像再構成装置に与えられ被検体の断層像の再構成に利用される。
【０００４】
回転する支持枠に搭載されたＸ線検出器の測定データを非回転側にある画像再構成装置に伝達するために、スリップリング(slip ring) 機構が用いられる。スリップリング機構はスリップリングとブラシとの接触部を通じて回転側から非回転側へ電気信号の伝達を行なうようになっている。このため、回転側はエンドレス(endless) に回転できるようになり、回転側から非回転側に信号線を用いて信号伝達する場合に比べて遙かにスキャンの自由度が高くなる。
【０００５】
【発明が解決しようとする課題】
スリップリング機構はスリップリングとブラシとの接触部を通じて電気信号の伝達を行なうものであるから、この部分の接触抵抗は長期間にわたって安定したものでなければならない。さもないと電気信号の伝達が不安定になって測定データに誤差や欠落を生じ、結果として再構成画像の品質低下を招く。
【０００６】
そこで、スリップリングとブラシの構造、材料、表面処理、接触機構等について種々の工夫がなされているが、多様な環境条件の下で長期にわたって安定な信号伝達を行なうスリップリング機構を実現することは容易でない。
【０００７】
本発明は上記の問題点を解決するためになされたもので、その目的は、相対的に運動する２つの系の間で非接触で信号伝達を行なう信号伝達方法および装置並びにＸ線ＣＴ装置を実現することである。
【０００８】
【課題を解決するための手段】
〔１〕課題を解決するための第１の発明は、相対的に運動する２つの系の一方に前記相対的な運動の軌道に沿って導体を設け、前記導体を両端においてそれぞれ実質的に抵抗で終端し、前記相対的に運動する２つの系の他方から一方に前記導体の一部への非接触な高周波結合により電気信号を伝達することを特徴とする信号伝達方法である。
【０００９】
課題を解決するための第１の発明によれば、相対的に運動する２つの系の一方に相対的な運動の軌道に沿って導体を設け、この導体の両端をそれぞれ抵抗で終端するとともに導体の一部への非接触な高周波結合により電気信号を伝達するようにしたので、相対的に運動する２つの系の間で非接触で信号伝達を行なう信号伝達方法を実現することができる。
【００１０】
なお、課題を解決するための第１の発明において、「実質的に抵抗で終端」することの範疇には下記のものが含まれる。但し下記は例示であって限定を意味しない。
（１）実際に抵抗で終端すること
（２）導体に接続された電気回路等の等価入力抵抗で実質的に終端すること
（３）導体に接続された電気回路等の等価出力抵抗で実質的に終端すること
（４）導体に接続された電気回路等の等価内部抵抗で実質的に終端すること
【００１１】
〔２〕課題を解決するための第２の発明は、相対的に運動する２つの系の一方に前記相対的な運動の軌道に沿って設けられ両端がそれぞれ実質的に抵抗で終端された導体と、前記相対的に運動する２つの系の他方に設けられ前記導体の一部に非接触で高周波結合する結合手段とを具備することを特徴とする信号伝達装置である。
【００１２】
課題を解決するための第２の発明によれば、相対的に運動する２つの系の一方に相対的な運動の軌道に沿って導体を設けてこの導体の両端をそれぞれ抵抗で終端し、相対的に運動する２つの系の他方に導体の一部に非接触で高周波結合する結合手段を設けるようにしたので、相対的に運動する２つの系の間で非接触で信号伝達を行なう信号伝達装置を実現することができる。
【００１３】
なお、課題を解決するための第２の発明において、「実質的に抵抗で終端」することの範疇は前述の通りである。
〔３〕課題を解決するための第３の発明は、Ｘ線照射手段と、Ｘ線検出手段と、前記Ｘ線照射手段と前記Ｘ線検出手段とを空間を隔てて互いに対向させて搭載した回転枠と、非回転側に配置され前記Ｘ線検出手段の検出信号に基づいて画像再構成を行う画像再構成手段とを有するＸ線ＣＴ装置において、前記回転枠の回転の軌道と同心の円に沿って前記非回転側に設けられ両端がそれぞれ実質的に抵抗で終端された導体と、前記回転枠側に設けられ前記導体の一部への非接触な高周波結合により前記Ｘ線検出器の検出信号に基づく信号を前記導体に供給する信号供給手段と、前記非回転側に設けられ前記導体に供給された信号を受信してそれに基づく出力信号を前記画像再構成手段に供給する受信手段とを具備することを特徴とするＸ線ＣＴ装置である。
【００１４】
課題を解決するための第３の発明によれば、回転枠の回転の軌道と同心の円に沿って設けられ両端がそれぞれ抵抗で終端された導体を非回転側に設け、導体の一部への非接触な高周波結合によりＸ線検出器の検出信号に基づく信号を導体に供給する信号供給手段を回転枠側に設け、導体に供給された信号を受信してそれに基づく出力信号を画像再構成手段に供給する受信手段を非回転側に設けるようにしたので、Ｘ線検出器の測定データを回転枠側から非回転側に非接触で供給できるＸ線ＣＴ装置を実現することができる。
【００１５】
なお、課題を解決するための第３の発明において、「実質的に抵抗で終端」することの範疇は前述の通りである。
【００１６】
【発明の実施の形態】
以下、図面を参照して本発明の実施の形態を詳細に説明する。
図１に信号伝達装置のブロック図を示す。本装置は本発明の実施の形態の一例である。なお、本装置の構成によって本発明の装置に関する実施の形態の一例が示される。また、本装置の動作によって本発明の方法に関する実施の形態の一例が示される。
【００１７】
図１において、１１および１２は１対の電気的な導体である。導体１１および１２は同心の円を描くように互いに平行に配置される。導体１１および１２の両端部は間隙ｇを隔てて対向するようになっている。導体１１および１２は本発明における導体の実施の形態の一例である。
【００１８】
導体１１および１２の一端の線間に受信機２０が接続される。受信機２０は入力抵抗２１を有し、この入力抵抗２１によって導体１１および１２の一端が実質的に終端される。入力抵抗２１は導体１１および１２からなる線路の特性インピーダンスに整合する、すなわち整合終端とすることが信号伝達の周波数帯域を広帯域化する点で好ましい。
【００１９】
導体１１および１２の他端は抵抗２２によって終端されている。抵抗２２も整合抵抗とすることが信号伝達の周波数帯域を広帯域化する点で好ましい。
以上の導体１１，１２、受信機２０および抵抗２２からなる回路が受信系Ｒを構成する。受信系Ｒは本発明における２つの系のうちの一方の実施の形態である。
【００２０】
３０は送信機である。送信機３０は高周波の送信信号を出力するものである。送信信号はループコイル４０に供給される。ループコイル４０は例えば矩形のループをなすように構成される。ループコイル４０は１対の対辺４１および４２をそれぞれ導体１１および１２に概ね平行になるようにして導体１１および１２に近接して配置されている。ループコイル４０は導体１１および１２とは非接触となっている。ループコイル４０は本発明における結合手段の実施の形態の一例である。
【００２１】
送信機３０とループコイル４０からなる回路が送信系Ｓを構成する。送信系Ｓは受信系Ｒは本発明における２つの系のうちの他方の実施の形態である。
送信系Ｓは受信系Ｒに対して導体１１および１２が形成する円と同心の円運動ができるようになっている。なお、この円運動は相対的なものであって、固定された受信系Ｒに関して送信系Ｓが円運動しても、あるいは固定された送信系Ｓに関して受信系Ｒが円運動しても、さらには両者がそれぞれの速度で円運動しそれらの差の速度で相対的に円運動するようにしても良い。
【００２２】
それら何れの運動においてもループコイル４０は導体１１および１２が形成する円に沿って相対的に移動する。
ループコイル４０は、その１対の対辺４１および４２の長さｄが導体１１および１２の両端が対向する間隙ｇの長さより長くなるように形成するのが好ましい。そうすることにより、ループコイル４０が間隙ｇを通過するとき対辺４１および４２が間隙ｇを跨いで通過できるようになり、後に述べるように信号伝達が円滑になる。
【００２３】
次に、このように構成された本装置の動作について説明する。
送信機３０が高周波の送信信号を出力したとき、この送信信号はループコイル４０の１対の対辺４１および４２と導体１１および１２とのそれぞれの電磁的な結合を通じて導体１１および１２の線間に印加される。そして、この送信信号に基づく電流が導体１１および１２からなる往復線路に流れる。
【００２４】
導体１１および１２を流れる電流は、ループコイル４０と導体１１および１２との結合点すなわち信号印加点から受信機２０の入力抵抗２１に向かう電流と同印加点から抵抗２２に向かう電流の２つとなる。導体１１および１２の両端をそれぞれ入力抵抗２１および抵抗２２で整合終端したとき、これら２つの電流は値が等しいものとなる。
【００２５】
このうち入力抵抗２１に流れる電流が受信機２０によって受信される。これによって、送信機３０の出力信号が受信機２０で受信されることになる。
このような信号の送受信はループコイル４０が導体１１および１２上のどの位置にあっても行える。また、ループコイル４０が導体１１および１２の両端部にかかる場合でも、ループコイル４０の対辺４１および４２の長さが間隙ｇを跨げる長さとすることにより、電磁的な結合による送信信号は途切れることなく導体１１および１２に印加されるので、受信信号が途切れることがない。
【００２６】
すなわち、相対的に回転する送信系Ｓ側の送信機３０の送信信号を受信系Ｒ側の受信機２０に非接触で伝達することができる。
送信機３０の送信信号を導体１１および１２に印加する結合手段としては、ループコイル４０の他に図２に示すような静電結合器を利用するようにしても良い。図２において、５０が静電結合器であって、１対の電極板５１および５２からなる。その他の構成は図１に示したものと同様であり、同一の記号を付してある。静電結合器５０は本発明における結合手段の実施の形態の一例である。
【００２７】
１対の電極板５１および５２はそれぞれ導体１１および１２と近接して対向している。これら電極板５１および５２は導体１１および１２とは非接触である。電極板５１および５２は、導体１１および１２に沿った方向の長さｄが導体１１および１２の両端の間隙ｇの長さよりも長くなるように構成するのが後述のように信号伝達の円滑化の点で好ましい。
【００２８】
このような構成において、電極板５１および５２間に送信機３０の高周波の出力信号が与えられと、この出力信号が電極板５１と導体１１との静電結合および電極板５２と導体１２との静電結合を通じて導体１１および１２の線間に印加される。それによって、図１の場合と同様に、信号印加点から受信機２０の入力抵抗２１に向かう電流と同印加点から抵抗２２に向う電流がそれぞれ生じる。
【００２９】
すなわち、図１の場合と同様に送信機３０の出力信号を非接触で受信機２０に伝達することができる。信号の伝達は電極板５１および５２が導体１１および１２上の何処にあっても行える。また、電極板５１および５２の長さを導体１１および１２の両端の間隙ｇの長さよりも長くすれば、電極板５１および５２が間隙ｇにかかる場合でも静電結合が維持され信号が途切れることがない。したがって、相対的に回転する送信系Ｓから受信系Ｒに信号を伝達することができる。
【００３０】
図１に示す装置と図２に示す装置を比較すると、図１の装置はループコイル４０を用いるのでコモンモードノイズ(common mode noise) に強い信号伝達が行える点で好ましい。図２に示す装置は静電結合器５０を利用するので不要な電磁放射が少ない点で好ましい。
【００３１】
送信機３０が出力する信号は一般に搬送波（キャリヤ）を変調した信号である。そのため、送信機３０には図示しない変調回路が設けられている。変調は周波数変調または位相変調がＳ／Ｎ（signal-to-noise ratio ）の点で好ましいが、信号条件が良いときは振幅変調でも差し支えない。
【００３２】
キャリヤの周波数の選択に際しては導体１１および１２によって構成される伝送線路の共振周波数を避けることが信号伝送の周波数を広帯域化する点で好ましい。その意味では、図１および図２に示すように受信機２０の入力抵抗２１および抵抗２２を整合終端とすることが最も好ましい。
【００３３】
共振防止用の抵抗は例えば図３に示すように導体１１および１２の線間の適宜の複数個所に設けるようにしても良い。図３において、抵抗６１〜６４が共振防止用の抵抗であり、その値は導体１１および１２を終端する受信機２０の入力抵抗２１および抵抗２２の値よりも十分大きく選ばれる。
【００３４】
また、キャリヤはその波長を導体１１および１２の長さの整数分の１となるように選ぶことが、導体１１および１２の両端部で信号の位相が互いに同一になる点で好ましい。これによって、電磁的結合用のループコイル４０または静電結合器５０が間隙ｇを通過するときの伝送信号の位相の不連続性を無くすことができる。そして、これによって連続的に相対的回転をする送信系Ｓ側から受信系Ｒ側に連続性の良い信号を伝達することができる。
【００３５】
なお、ループコイル４０または静電結合器５０が間隙ｇを通過するときに送信機３０の送信を止めるようにした場合は、上記のようなキャリヤ周波数に対する考慮は不要となる。
【００３６】
したがって、間欠的な送信停止が許容できるときはそのようにすることがキャリヤ周波数についての制約が少ない点で好ましい。また、この場合、ループコイル４０または静電結合器５０の寸法を間隙ｇとの関係を考慮せずに決めることができる点でも好ましい。
【００３７】
受信機２０には、送信機３０における変調回路に対応して図示しない復調回路が設けられ、それによってキャリヤに乗っている信号を復調する。受信機２０にはさらにＡＧＣ(auto gain control) 回路を設け、回転中のループコイル４０または静電結合器５０と導体１１および１２の間の距離変化等に伴う信号レベルの変化を補正するのが安定な信号受信を行う点で好ましい。また、位相の変化を伴う場合はＤＰＳＫ(digital phase sift keying) 回路を用いてそれを補正することができる。
【００３８】
上記は導体１１および１２が円形の経路をなすように構成した例であるが、これら導体は送信系Ｓと受信系Ｒの相対運動の軌道に沿ったものであれば良く、必ずしも円形経路に限定されない。例えば、両系の相対運動が直線運動であればそれに合わせて導体１１および１２による導電経路を直線的に展開すれば良い。また、楕円や双曲線、その他任意の曲線の軌道についてもそれに合わせて導体１１および１２の経路を自在に構成することができる。
【００３９】
上記のような信号伝達装置は、Ｘ線ＣＴ装置において、回転する支持枠に搭載されたＸ線検出器の測定データを非回転側にある画像再構成装置に伝達する装置として利用することができる。図４に、そのように構成したＸ線ＣＴ装置のブロック図を示す。
【００４０】
図４において、Ｘ線照射器ＸＳとＸ線検出器ＤＴが支持枠ＦＭによって互いに対向する位置関係に支持されている。Ｘ線照射器ＸＳは本発明におけるＸ線照射手段の実施の形態の一例である。Ｘ線検出器ＤＴ本発明におけるＸ線検出手段の実施の形態の一例である。
【００４１】
Ｘ線照射器ＸＳはＸ線検出器ＤＴに向けて扇状のＸ線ビームＢＭを照射するものである。Ｘ線検出器ＤＴは複数（例えば１０００個）のＸ線検出素子を有するものである。それら複数のＸ線検出素子は扇状のＸ線ビームＢＭの広がりの方向に配列されて多チャンネルのＸ線検出器ＤＴを構成している。
【００４２】
Ｘ線照射器ＸＳとＸ線検出器ＤＴが取り付けられた支持枠ＦＭはＸ線ＣＴ装置のいわゆるガントリを構成する。支持枠ＦＭは図示しない駆動装置によって駆動され、図４に示すｘｙ面内で回転中心Ｏの周りを回転するようになっている。支持枠ＦＭは本発明における回転枠の実施の形態の一例である。
【００４３】
扇状のＸ線ビームＢＭの開き角の範囲内に被検体ＯＢが配置される。被検体ＯＢは支持板ＴＢ上に載置される。支持板ＴＢは上下方向（ｙ方向）に移動できるようになっており、これによって被検体ＯＢの上下方向の位置が調節できるようになっている。支持板ＴＢは、また、紙面に垂直な方向（ｚ方向）に進退できるようになっており、それによって被検体ＯＢをＸ線照射領域に搬入および搬出できるようになっている。
【００４４】
Ｘ線制御部ＸＣはＸ線照射器ＸＳを制御するものである。これによってＸ線の強度、照射タイミング等が制御される。回転制御部ＲＣは支持枠ＦＭの回転を制御するものである。これによって支持枠ＦＭの回転速度、起動および停止等が制御される。支持板制御部ＴＣは支持板ＴＢを制御するものである。これによって支持板ＴＢのｚ方向の移動および上下移動が制御が制御される。
【００４５】
データ収集部ＤＡＳはＸ線検出器ＤＴから出力される多チャンネルのＸ線検出信号を収集するものである。このデータ収集部ＤＡＳはＸ線検出器ＤＴと共に支持枠ＦＭ上に搭載されている。
【００４６】
データ収集部ＤＡＳの構成を図５に示す。図５に示すように、Ｘ線検出素子ＤＴｅの出力信号が積分器ＩＮＴによって積分され、積分器ＩＮＴの出力信号がマルチプレクサＭＸを通じてＡ／Ｄ(analog-to-digital) 変換器ＡＤＣに与えられ、ディジタル信号に変換されてメモリＭＥＭに記憶される。
【００４７】
マルチプレクサＭＸの入力側には他のチャンネルの積分器が複数個接続されており、それらが順次切り換えられてＡ／Ｄ変換器ＡＤＣに接続される。
制御装置ＣＮＴは積分器ＩＮＴの動作を制御し、所定の周期で積分とリセットを行なわせる。すなわち、例えば図６に示すように、周期ＴｓのうちＴｉ時間で積分を行なわせＴｒ時間でリセットを行なわせる。
【００４８】
制御装置ＣＮＴはマルチプレクサＭＸを制御し、積分器ＩＮＴがＴｉ時間の積分を完了したタイミングでそれをＡ／Ｄ変換器ＡＤＣに接続する。制御装置ＣＮＴは、また、メモリＭＥＭの書込アドレスを制御してＡ／Ｄ変換器ＡＤＣの出力信号をＸ線検出素子ＤＴｅチャンネル番号およびビュー番号に対応したアドレスに記憶する。
【００４９】
メモリＭＥＭに記憶された測定データは制御装置ＣＮＴによって所定のタイミングで逐次読み出され、次に述べる信号伝達部ＴＲに出力される。
図４に戻って、信号伝達部ＴＲはデータ収集部ＤＡＳの出力データをコンピュータＣＯＭに伝達するものであり、図１または図２に示したものと同様な基本構成を有する。
【００５０】
これを図１および図２によって説明すれば、送信系Ｓが支持枠ＦＭ上に搭載され、受信系Ｒが固定側に設置される。送信系Ｓのループコイル４０または静電結合器５０は支持枠ＦＭと共に回転し円軌道を描く。それに対応して、受信系Ｒの導体１１および１２はループコイル４０または静電結合器５０の回転の軌道に近接した円を描くように設置される。この場合、導体１１および１２は図示しない適宜の支持板機構によって支持される。
【００５１】
送信機３０にはデータ収集部ＤＡＳの出力データが入力される。送信機３０は例えば図７に示す構成により、入力されたデータをパラレル・シリアル変換器ＰＳでシリアルデータに変換し、変調器ＭＯＤでキャリヤを変調し、変調されたキキャリヤを増幅器ＡＭＰｏで増幅してループコイル４０または静電結合器５０に出力する。送信器３０とループコイル４０または静電結合器５０は本発明における信号供給手段の実施の形態の一例である。
【００５２】
送信信号は前記の高周波結合を通じて非接触で受信系Ｒに伝達され受信機２０で受信される。受信機２０は例えば図８に示す構成により、受信信号を増幅器ＡＭＰｉで増幅し、復調器ＤＥＭで復調し、シリアル・パラレル変換器ＳＰでパラレルデータに変換する。このデータがコンピュータＣＯＭに入力される。受信機２０は本発明における受信手段の実施の形態の一例である。
【００５３】
コンピュータＣＯＭはＸ線制御部ＸＣ、回転制御部ＲＣおよび支持板制御部ＴＣを管制して所定のシーケンスに基づくスキャンを遂行し、データ収集部ＤＡＳが収集したデータに基づいて被検体ＯＢの断層像を再構成する。コンピュータＣＯＭは本発明における画像再構成手段の実施の形態の一例である。再構成画像は画像出力部ＩＭを通じて出力される。
【００５４】
コンピュータＣＯＭには表示部ＤＩＳおよび操作部ＯＰが接続される。これらは操作者のためのマンマシン・インタフェイス(man-machine interface) を構成する。
【００５５】
【発明の効果】
以上詳細に説明したように、課題を解決するための第１の発明によれば、相対的に運動する２つの系の一方に相対的な運動の軌道に沿って導体を設け、この導体の両端をそれぞれ抵抗で終端するとともに導体の一部への非接触な高周波結合により電気信号を伝達するようにしたので、相対的に運動する２つの系の間で非接触で信号伝達を行なう信号伝達方法を実現することができる。
【００５６】
また、課題を解決するための第２の発明によれば、相対的に運動する２つの系の一方に相対的な運動の軌道に沿って導体を設けてこの導体の両端をそれぞれ抵抗で終端し、相対的に運動する２つの系の他方に導体の一部に非接触で高周波結合する結合手段を設けるようにしたので、相対的に運動する２つの系の間で非接触で信号伝達を行なう信号伝達装置を実現することができる。
【００５７】
また、課題を解決するための第３の発明によれば、回転枠の回転の軌道と同心の円に沿って設けられ両端がそれぞれ抵抗で終端された導体を非回転側に設け、導体の一部への非接触な高周波結合によりＸ線検出器の検出信号に基づく信号を導体に供給する信号供給手段を回転枠側に設け、導体に供給された信号を受信してそれに基づく出力信号を画像再構成手段に供給する受信手段を非回転側に設けるようにしたので、Ｘ線検出器の測定データを回転枠側から非回転側に非接触で供給できるＸ線ＣＴ装置を実現することができる。
【図面の簡単な説明】
【図１】本発明の実施の形態の一例の装置のブロック図である。
【図２】本発明の実施の形態の一例の装置のブロック図である。
【図３】本発明の実施の形態の一例の装置のブロック図である。
【図４】本発明の実施の形態の一例の装置のブロック図である。
【図５】本発明の実施の形態の一例の装置におけるデータ収集部のブロック図である。
【図６】本発明の実施の形態の一例の装置におけるデータ収集部の動作のタイムチャートである。
【図７】本発明の実施の形態の一例の装置における送信機のブロック図である。
【図８】本発明の実施の形態の一例の装置における受信機のブロック図である。
【符号の説明】
１１，１２  導体
２０  受信機
２１  入力抵抗
２２  抵抗
３０  送信器
４０  ループコイル
５０  静電結合器
６１〜６４  抵抗
ＸＳ  Ｘ線照射器
ＢＭ  Ｘ線ビーム
ＤＴ  Ｘ線検出器
ＤＴｅ  Ｘ線検出素子
ＦＭ  支持枠
ＯＢ  被検体
ＴＢ  支持板
ＸＣ  Ｘ線制御部
ＴＣ  支持板制御部
ＲＣ  回転制御部
ＤＡＳ  データ収集部
ＣＯＭ  コンピュータ
ＩＭ  画像出力部
ＤＩＳ  表示部
ＯＰ  操作部
ＩＮＴ  積分器
ＭＸ  マルチプレクサ
ＡＤＣ  アナログ・ディジタル変換器
ＭＥＭ  メモリ
ＣＮＴ  制御装置
ＰＳ  パラレル・シリアル変換器
ＭＯＤ  変調器
ＡＭＰｏ，ＡＭＰｉ  増幅器
ＤＥＭ  復調器
ＳＰ  シリアル・パラレル変換器
【図１】
0003771963.tif 000002
【図２】
0003771963.tif 000003
【図３】
0003771963.tif 000004
【図４】
0003771963.tif 000005
【図５】
0003771963.tif 000006
【図６】
0003771963.tif 000007
【図７】
0003771963.tif 000008
【図８】
0003771963.tif 000009